(57)【要約】【課題】データ書き込み制御を容易に行い得る電気光学装置を提供する。【解決手段】単位回路３１ａにおいて、ＴＦＴ１６のオン期間内に供給されるデータ信号Ｄｊは保持容量１７に保持される。アンプ１８は保持容量１７に保持されているデータ信号Ｄｊを入力し、そのデータ信号Ｄｊに応じた電圧値を持つ画素電圧を分散系２３を挟持する一方の画素電極１５に供給する。このため、画素電極１５に印加される画素電圧はほぼ一定に保たれる。【選択図】      図４
2004157450.tif 000002
【特許請求の範囲】
【請求項１】
第１電極と該第１電極に対向した第２電極との間に挟持され電気泳動粒子を含有する分散系を有した電気光学装置であって、
前記電気泳動粒子の移動位置を制御する所定のデータ信号を供給するスイッチング素子と、
前記スイッチング素子を介して供給される前記データ信号を保持する信号保持手段と、
前記信号保持手段が保持している前記データ信号に応じた電圧を前記第１電極に印加する印加電圧制御手段と
を備えることを特徴とする電気光学装置。
【請求項２】
複数の走査線と、
複数のデータ線と、
前記複数の走査線と前記複数のデータ線との交差部にそれぞれ対応して設けられた単位回路とを有し、
第１電極と該第１電極に対向した第２電極との間に挟持され電気泳動粒子を含有する分散系を前記単位回路に備えた電気光学装置であって、
前記単位回路は、
対応する走査線が選択されたとき導通し、該導通状態のときに対応するデータ線から与えられる所定のデータ信号を供給するスイッチング素子と、
前記スイッチング素子を介して供給される前記データ信号を保持する信号保持手段と、
前記信号保持手段が保持している前記データ信号に応じた電圧を前記第１電極に印加する印加電圧制御手段と
を備えることを特徴とする電気光学装置。
【請求項３】
前記第１電極に印加する電圧を前記電気泳動粒子の移動位置を確定させるために必要な１フレーム期間に渡って保持可能としたことを特徴とする請求項１又は２記載の電気光学装置。
【請求項４】
前記スイッチング素子を介して前記信号保持手段に保持されるデータ信号は、前記第２電極に印加する電圧を基準として正極性を持つ電圧、前記第２電極に印加する電圧と同じ電圧値を持つ電圧、又は前記第２電極に印加する電圧を基準として負極性を持つ電圧であることを特徴とする請求項１乃至３の何れか一項記載の電気光学装置。
【請求項５】
前記信号保持手段は保持容量で構成され、前記印加電圧制御手段は前記保持容量が保持する電圧に基づいて駆動されるアンプで構成されていることを特徴とする請求項１乃至４の何れか一項記載の電気光学装置。
【請求項６】
請求項１乃至５の何れか一項記載の電気光学装置を実装した電子機器。
【発明の詳細な説明】
【０００１】
【発明の属する技術分野】
本発明は電気光学装置及び電子機器に係り、詳しくは電気泳動粒子を含有する分散系を有する電気光学装置及びそれを実装した電子機器に関する。
【０００２】
【従来の技術】
従来、非発光型の表示デバイスとして、電気泳動現象を利用した電気泳動表示装置が知られている（例えば、特許文献１参照）。電気泳動現象は、液体中（分散媒）に微粒子（電気泳動粒子）を分散させた分散系に電界を印加したとき、該微粒子がクーロン力により泳動する現象をいう。
【０００３】
ここで、電気泳動表示装置の概略的な構成を簡単に述べる。
電気泳動表示装置は、一方の電極と他方の電極とを所定の間隔で対向させ、その間に画像の表示単位である画素としての分散系をマトリクス状に多数配置して構成されている。そして、電気泳動表示装置は、それらの分散系に電界を印加するための周辺回路を備えている。
【０００４】
図１０は、１画素に対応した分散系を示す表示パネルの要部断面図である。
画素となる分散系６１は、画素電極６２等を設けた素子基板６３と共通電極６４等を設けた対向基板６５との間に隔壁６６を形成し、両電極６２，６４と隔壁６６とで形成される空間に電気泳動粒子６７を分散させた液体（分散媒）６８を充填して構成される。共通電極６４及び対向基板６５としては、透過性を有する材料が用いられる。ここで、例えば２値表示を実現する場合、分散媒６８は黒色に染色され、電気泳動粒子６７としては酸化チタン等の白色粒子が用いられる。そして、電気泳動粒子６７は正負いずれかの電荷を持つように帯電される。
【０００５】
このような表示パネルにおいて、素子基板６３には上述した画素電極６２の他に、走査線、データ線及びスイッチング素子として機能する薄膜トランジスタ（Ｔｈｉｎ  Ｆｉｌｍ  Ｔｒａｎｓｉｓｔｏｒ：以下、ＴＦＴ）が形成される（図１０ではその様子を省略している）。
【０００６】
図１１は、その１画素に対応した等価回路を説明する説明図である。
すなわち、表示パネルの素子基板６３上には互いに直交する方向に沿って走査線７１とデータ線７２とが設けられ、それらの交差部に対応してＴＦＴ７３が設けられている。ＴＦＴ７３は、そのゲート電極が走査線７１に接続され、そのソース電極がデータ線７２に接続され、そのドレイン電極が分散系６１を挟持する一方の画素電極６２に接続されている。尚、分散系６１を挟持する他方の共通電極６４には、所定の共通電圧Ｖｃｏｍ  （例えば接地電圧）が印加されるようになっている。
【０００７】
このような構成において、走査線７１は、図示しない走査線駆動回路から供給される走査線信号によってアクティブになり、このアクティブになる期間に於いてＴＦＴ７３はオンされる。そして、データ線７２及びオンしたＴＦＴ７３を介して図示しないデータ線駆動回路からデータ線信号が供給されることにより、画素電極６２に電圧が印加されるようになっている。
【０００８】
次に、画素電極６２に電圧を印加した場合の作用を説明する。
画素電極６２と共通電極６４との間に電位差を与えると、クーロン力によって電気泳動粒子６７が画素電極６２又は共通電極６４のどちらか一方の電極に引き寄せられる。このとき、電気泳動粒子６７が透明の共通電極６４側に引き寄せられると、該共通電極６４から入射した光は電気泳動粒子６７によって反射され、電気泳動粒子６７の色（白色）が見えることになる。一方、電気泳動粒子６７が画素電極６２側に引き寄せられると、前述した入射光と反射光は分散媒６８によって吸収され、分散媒６８の染色した色（黒色）が見えることになる。つまり、電気泳動表示装置は、表示パネルにマトリクス状に多数配置された各々の分散系６１について、分散系６１の電気泳動粒子６７の移動位置をそれぞれ個々に制御することによって画像を形成する。
【０００９】
【特許文献１】
特開平２００２−１１６７３４号公報
【００１０】
【発明が解決しようとする課題】
ところで、分散系６１では、画像の表示状態を保つために分散媒６８はある粘性を有しており、その粘性抵抗に抗して分散系６１を泳動する電気泳動粒子６７の動きは鈍い（すなわち反応速度が遅い）。一方、走査線７１がアクティブになることによってＴＦＴ７３がオンされる時間（アクセス時間）は極めて短い。
【００１１】
このため、アクセス時間に対して電気泳動粒子６７が分散系６１を泳動する時間（反応時間）が長くなり、電気泳動粒子６７は実質的にアクセス時間の経過後に泳動を開始することになる。すなわち、両電極６２，６４間にはＴＦＴ７３のオン時間内に画素電極６２に供給された電圧（画素電圧）に対応する電荷が蓄積されており、それによる電界の影響を受けて電気泳動粒子６７は分散系６１を泳動し始める。
【００１２】
このため、従来の電気泳動表示装置においては、以下のような問題があった。図１２は、例えば書込動作における１フィールドの画素電圧の推移を示す説明図である。尚、１フィールドは各走査線を駆動して１回のデータ書き込みを行う期間であり、一般に書込期間（１フレーム）においてはｎ回のデータ書き込みを行うことによって１つの画像が形成される。
【００１３】
同図において、今、ｉ行（ｉ番目の走査線）・ｊ列（ｊ番目のデータ線）の画素に対応する画素電極６２に書込電圧としての初期電圧Ｖ０が供給され、アクセス時間が経過した後の時刻ｔ１で電気泳動粒子６７が泳動し始める。このとき、電気泳動粒子６７の泳動に伴って画素電極６２と共通電極６４との間の電位差は次第に小さくなる。その結果、画素電圧Ｖｉｊは初期電圧Ｖ０から次第に降下し、１フィールドが終了した時点では電圧Ｖ１の値となる。
【００１４】
一方、画素の反射明度Ｉｉｊは、両電極６２，６４間に生じた電界の影響を受けて電気泳動粒子６７が泳動することによって次第に上昇する。しかしながら、この反射明度Ｉｉｊは、前述した画素電圧Ｖｉｊの降下に伴い、１フィールドが終了した時点において、書込電圧として与えられた初期電圧Ｖ０に対応する値まで到達せず、前記電圧Ｖ１に対応する値の反射明度Ｉ１となる。
【００１５】
このように、従来では、画素電極６２に印加された画素電圧Ｖｉｊが時間経過とともに低下するために、指定した任意の電圧でのデータ書き込みを行うことができず、それによって表示品質の低下や書き込み動作が長くなるという問題を生じていた。
【００１６】
本発明は、上記問題点を解消するためになされたものであって、その目的は、データ書き込み制御を容易に行うことのできる電気光学装置及び電子機器を提供することにある。
【００１７】
【課題を解決するための手段】
本発明における電気光学装置は、第１電極と該第１電極に対向した第２電極との間に挟持され電気泳動粒子を含有する分散系を有した電気光学装置であって、前記電気泳動粒子の移動位置を制御する所定のデータ信号を供給するスイッチング素子と、前記スイッチング素子を介して供給される前記データ信号を保持する信号保持手段と、前記信号保持手段が保持している前記データ信号に応じた電圧を前記第１電極に印加する印加電圧制御手段とを備える。
【００１８】
これによれば、印加電圧制御手段は、信号保持手段に保持されているデータ信号に基づいて、スイッチング素子がオフされた後も第１電極に印加する電圧をほぼ一定値に制御する。従って、電気泳動粒子の泳動に伴う第１電極の電位の低下は防止される。これにより、第１電極に印加される電圧を指定の電圧に容易に制御することができるため、リセット動作及び書込動作時のデータ書き込み制御を容易に行うことができる。
【００１９】
また、本発明における電気光学装置は、複数の走査線と、複数のデータ線と、前記複数の走査線と前記複数のデータ線との交差部にそれぞれ対応して設けられた単位回路とを有し、第１電極と該第１電極に対向した第２電極との間に挟持され電気泳動粒子を含有する分散系を前記単位回路に備えた電気光学装置であって、前記単位回路は、対応する走査線が選択されたとき導通し、該導通状態のときに対応するデータ線から与えられる所定のデータ信号を供給するスイッチング素子と、前記スイッチング素子を介して供給される前記データ信号を保持する信号保持手段と、前記信号保持手段が保持している前記データ信号に応じた電圧を前記第１電極に印加する印加電圧制御手段とを備える。
【００２０】
これによれば、各単位回路において、印加電圧制御手段は、信号保持手段に保持されているデータ信号に基づいて、スイッチング素子がオフされた後も第１電極に印加する電圧をほぼ一定値に制御する。従って、前記電気泳動粒子の泳動に伴う前記第１電極の電位の低下が防止される。その結果、各画素に対応して設けられるそれぞれの単位回路において、前記第１電極に印加される電圧を指定の電圧に容易に制御することができるため、リセット動作及び書込動作時のデータ書き込み制御を容易に行うことができる。
【００２１】
この電気光学装置において、前記第１電極に印加する電圧を前記電気泳動粒子の移動位置を確定させるために必要な１フレーム期間に渡って保持可能とした。これによれば、前記第１電極に印加される電圧をリセット動作や書込動作時の１フレーム期間に渡って保持することができるため、リセット動作及び書込動作時のデータ書き込み制御を容易に行うことができる。
【００２２】
この電気光学装置において、前記スイッチング素子を介して前記信号保持手段に保持されるデータ信号は、前記第２電極に印加する電圧を基準として正極性を持つ電圧、前記第２電極に印加する電圧と同じ電圧値を持つ電圧、又は前記第２電極に印加する電圧を基準として負極性を持つ電圧である。
【００２３】
これによれば、リセット期間において前記第１電極に印加されるリセット電圧は略一定値に保持されるとともに、書込期間において前記第１電極に印加される書込電圧は略一定値に保持される。
【００２４】
この電気光学装置において、前記信号保持手段は保持容量で構成され、前記印加電圧制御手段は前記保持容量が保持する電圧に基づいて駆動されるアンプで構成されている。
【００２５】
これによれば、導通状態に制御されたスイッチング素子を介して供給されるデータ信号は一旦保持容量に保持され、この保持容量が保持する電圧に基づいて駆動されるアンプによって、前記第１電極には前記データ信号に応じた電圧が略一定値で印加される。
【００２６】
本発明における電子機器は、請求項１乃至５の何れか一項に記載の電気光学装置を実装した。
これによれば、表示品質の高い画像表示を実現することができる。
【００２７】
【発明の実施の形態】
（第一実施形態）
以下、本発明を具体化した電気光学装置としての電気泳動表示装置の第一実施形態を図１〜図７に従って説明する。
【００２８】
図１は、電気泳動表示パネルを示す要部分解斜視図である。
電気泳動表示装置は電気泳動表示パネル（以下、表示パネル）１１を備え、この表示パネル１１は素子基板１２と対向基板１３とを有している。素子基板１２は、ガラスや半導体等の材料からなり、その素子基板１２上には碁盤目状の隔壁１４が形成されている。
【００２９】
詳述すると、表示パネル１１には、表示領域Ｚ１とその表示領域Ｚ１を囲むように周辺領域Ｚ２が設けられている。そして、表示領域Ｚ１に対応する素子基板１２上に碁盤目状の隔壁１４が形成されている。この碁盤目状に形成された隔壁１４において、Ｘ方向に延びる隔壁１４の下面と素子基板１２との間には、それぞれデータ線Ｘ１〜Ｘｎ（図３参照）が形成されている。さらに、碁盤目状に形成された隔壁１４において、Ｙ方向に延びる隔壁１４の下面と素子基板１２との間には、それぞれ走査線Ｙ１〜Ｙｍ（図３参照）が形成されている。尚、各データ線Ｘ１〜Ｘｎと各走査線Ｙ１〜Ｙｍとが直角に交差する部分は、図示しない絶縁層によって電気的に絶縁されている。
【００３０】
また、碁盤目状の隔壁１４に囲まれた各空間の素子基板１２上には、第１電極としての画素電極１５（図２参照）、スイッチング素子としての薄膜トランジスタ（以下、ＴＦＴ）１６、信号保持手段としての保持容量１７及び印加電圧制御手段としてのアンプ１８（それぞれ図３参照）が形成されている。
【００３１】
図２に示すように、前記碁盤目状の隔壁１４に囲まれた各空間内には、電気泳動粒子２１を分散させた液体（分散媒）２２を充填する。分散媒２２は、本実施形態では染料により黒色に染色されている。一方、電気泳動粒子２１は本実施形態では白色粒子であって、例えば酸化チタン等から構成され、正の電荷が帯電されている。そして、本実施形態では、これら電気泳動粒子２１を分散させた分散媒２２を、分散系２３という。
【００３２】
尚、液体の黒色は黒色の粒子を分散させて着色してもよい。また、分散系２３は、本実施形態において、隔壁１４によって分けられたものとしているが、各空間をマイクロカプセルによって形成したマイクロカプセルタイプの分散系でもよい。
【００３３】
前記碁盤目状に形成された隔壁１４の上面には、該隔壁１４に囲まれた各空間内に充填された分散系２３を封止する封止材２４が形成されている。その封止材２４の上面には第２電極としての共通電極２５が形成され、該共通電極２５の上面には前述した対向基板１３が形成されている。封止材２４、共通電極２５及び対向基板１３は、それぞれ透過性を有する材料で形成されている。
【００３４】
このような表示パネル１１では、共通電極２５に基準となる所定の共通電圧Ｖｃｏｍ  を印加した状態で、その共通電圧Ｖｃｏｍ  を基準として正極性を持つ電圧（以下、第１電圧）を画素電極１５に印加すると、クーロン力によって電気泳動粒子２１は共通電極２５側に移動する。逆に、前記共通電圧Ｖｃｏｍ  を基準として負極性を持つ電圧（以下、第２電圧）を画素電極１５に印加すると、クーロン力によって電気泳動粒子２１は画素電極１５側に移動する。また、画素電極１５に共通電圧Ｖｃｏｍ  と同じ電圧を印加すると、クーロン力が消失し電気泳動粒子２１はその場で停止する。
【００３５】
従って、対向基板１３から入射した光が電気泳動粒子２１によって反射され、その反射光が同対向基板１３を通過して目に至る光路長は、電気泳動粒子２１の厚み方向の位置に対応する。その結果、入射光と反射光が分散媒２２によって吸収される程度は光路長に比例することから、人が認識する階調は、電気泳動粒子２１の位置によって決定されることになる。つまり、電気泳動粒子２１が画素電極１５に近いほど黒く、反対に電気泳動粒子２１が共通電極２５に近いほど白く見えることになる。
【００３６】
次に、電気泳動表示装置の電気的な構成を図３に従って説明する。
電気泳動表示装置は、画素部３１、走査線駆動回路３２、データ線駆動回路３３及び制御回路３４を備えている。尚、画素部３１、走査線駆動回路３２及びデータ線駆動回路３３は、前記表示パネル１１における素子基板１２の表面に形成されている。
【００３７】
画素部３１は、前述したそのＸ方向に沿って延びる複数のデータ線Ｘ１〜Ｘｎと、Ｙ方向に沿って延びる複数の走査線Ｙ１〜Ｙｍとを有する。また、画素部３１には、各データ線Ｘ１〜Ｘｎと各走査線Ｙ１〜Ｙｍとの交差部に対応してそれぞれ画像の表示単位（画素）となる分散系２３を駆動するための単位回路３１ａが配置されている。各単位回路３１ａは、前述したＴＦＴ１６、保持容量１７、アンプ１８及び分散系２３をそれぞれ有している。
【００３８】
走査線駆動回路３２は、制御回路３４からの各種信号に基づいて、所定のタイミングで複数の走査線Ｙ１〜Ｙｍを順次選択して走査信号ＳＣ１〜ＳＣｍを出力し、各走査線Ｙ１〜Ｙｍに接続された単位回路３１ａ群を順次駆動する。詳しくは、走査線駆動回路３２は、電気泳動粒子２１の位置を後述するリセット位置に移動させるリセット期間あるいは１つの画像を表示形成するための書込期間にあるとき一定の周期で走査信号ＳＣ１〜ＳＣｍを順次生成し出力する。一方、走査線駆動回路３２は、前記書込期間において形成された画像を維持するための保持期間にあるとき走査信号ＳＣ１〜ＳＣｍを出力しない。
【００３９】
尚、走査線駆動回路３２は、本実施形態では前記表示パネル１１の周辺領域Ｚ２（図１参照）に形成され、前述したＴＦＴ１６と同様に素子基板１２に形成した薄膜トランジスタにて構成されている。勿論、走査線駆動回路３２は、前記表示パネル１１とは別部品として構成し異方性導電膜等で実装してもよい。
【００４０】
データ線駆動回路３３は、各データ線Ｘ１〜Ｘｎ毎にそれぞれデータ信号Ｄ１〜Ｄｎを生成して出力する。詳しくは、データ線駆動回路３３は、各データ線Ｘ１〜Ｘｎに接続された単位回路３１ａであって、前記走査線駆動回路３２により選択されている各走査線Ｙ１〜Ｙｍに接続された単位回路３１ａに各データ信号Ｄ１〜Ｄｎを出力する。
【００４１】
このデータ線駆動回路３３は、後述するように、前記リセット期間にあっては各単位回路３１ａにリセット電圧を供給するためのデータ信号Ｄ１〜Ｄｎを出力し、前記書込期間にあっては各単位回路３１ａに書込電圧を供給するためのデータ信号Ｄ１〜Ｄｎを出力する。
【００４２】
尚、データ線駆動回路３３は、本実施形態では前記表示パネル１１の周辺領域Ｚ２（図１参照）に形成され、前述したＴＦＴ１６と同様に素子基板１２に形成した薄膜トランジスタにて構成されている。勿論、データ線駆動回路３３は、前記表示パネル１１とは別部品として構成し異方性導電膜等で実装してもよい。
【００４３】
走査線駆動回路３２及びデータ線駆動回路３３を制御する制御回路３４は、図示しない外部装置から入力画像信号ＶＩＤ及び基本クロックＣＬＫを入力する。制御回路３４は、入力画像信号ＶＩＤに基づいてリセットデータＤｒｅｓｔや画像データＤを生成し、前記データ線駆動回路３３に出力する。後述するように、リセットデータＤｒｅｓｔは画像データＤを出力する前の所定期間に出力される。
【００４４】
また、制御回路３４は、前記基本クロックＣＬＫに基づいて前記リセットデータＤｒｅｓｔや画像データＤに対応した各データ信号Ｄ１〜Ｄｎを出力するタイミングを決定するためのデータ線側制御クロック信号ＣＬＫＸをデータ線駆動回路３３に出力する。さらに、制御回路３４は、前記基本クロックＣＬＫに基づいて各走査信号ＳＣ１〜ＳＣｍを出力するタイミングを決定するための走査線側制御クロック信号ＣＬＫＹを走査線駆動回路３２に出力するようになっている。
【００４５】
次に、前記単位回路３１ａの構造を図４に従って詳述する。尚、同図は、説明の便宜上、ｉ行（ｉ番目の走査線Ｙｉ）ｊ列（ｊ番目のデータ線Ｘｊ）の画素に対応する単位回路３１ａのみを示したものである。
【００４６】
上記したように、単位回路３１ａは、ＴＦＴ１６、保持容量１７、アンプ１８及び分散系２３を含んで構成されている。単位回路３１ａのＴＦＴ１６はＮチャネルトランジスタであって、そのゲート電極が対応する一側のＹ方向に延びた走査線Ｙｉと接続され、そのソース電極が対応する一側のＸ方向に延びたデータ線Ｘｊと接続されている。さらに、単位回路３１ａのＴＦＴ１６は、そのドレイン電極が保持容量１７の一方の電極に接続されるとともに、アンプ１８の入力端子に接続されている。保持容量１７の他方の電極は接地されている。
【００４７】
アンプ１８の出力端子は、分散系２３を挟持する一方の画素電極１５に接続されている。そして、単位回路３１ａの分散系２３を挟持する他方の共通電極２５には、上記したように、共通電圧Ｖｃｏｍ  が印加されるようになっている。
【００４８】
従って、走査線Ｙｉに供給される走査信号ＳＣｉがアクティブになりＴＦＴ１６がオンされると、データ線Ｘｊに供給されるデータ信号Ｄｊが当該オンしたＴＦＴ１６を介して保持容量１７に保持される。そして、この保持容量１７に保持されている電圧によってアンプ１８が駆動される。
【００４９】
アンプ１８は一般的なアナログバッファ回路であって、このアンプ１８には電源電圧Ｖｃｃが供給される。そして、アンプ１８は、電源電圧Ｖｃｃを保持容量１７が保持しているデータ信号Ｄｊに対応する値を持つ電圧として出力する。すなわち、保持容量１７に保持された電圧はアンプ１８に入力され、この入力電圧に対応した値を持つ電圧が同アンプ１８から画素電極１５に印加されるようになっている。
【００５０】
このように各単位回路３１ａにおいては、走査信号ＳＣｉが非アクティブになりＴＦＴ１６がオフされた後も、保持容量１７に保持された電圧によってアンプ１８が駆動される。このため、電気泳動粒子２１が分散媒２２中を泳動することに伴う画素電極１５の電位の降下は生じない。つまり、分散系２３を挟持する画素電極１５と共通電極２５との間の電位差は変化せず略一定に保たれる。
【００５１】
次に、上記のように構成した電気泳動表示装置の作用について説明する。
今、入力画像信号ＶＩＤに基づいて１つの画像を表示パネル１１に表示させる場合について説明する。図５に示すように、制御回路３４は、入力画像信号ＶＩＤに基づいてリセット期間Ｔ１でリセット動作、書込期間Ｔ２で書込動作、及び保持期間Ｔ３で保持動作を実行する。尚、説明の都合上、ここでは省略するが、１つの画像を表示させた後、画像を書き換える場合には同様にしてリセット動作と書込動作と保持動作とを行う。
【００５２】
［リセット動作］
制御回路３４は、入力画像信号ＶＩＤを入力すると、まずリセット動作を行なう。リセット動作は、分散系２３を泳動している電気泳動粒子２１を一方の電極側（本実施形態では画素電極１５側）に引き寄せ、その空間的な状態を初期化するために行われる。
【００５３】
このリセット動作では、制御回路３４は、走査信号ＳＣ１〜ＳＣｍによって各走査線Ｙ１〜Ｙｍを順次選択するための走査線側制御クロック信号ＣＬＫＹを走査線駆動回路３２に出力する。また、制御回路３４は、走査信号ＳＣ１〜ＳＣｍに応答して順次選択された各走査線上の単位回路３１ａにリセット電圧（前述した第２電圧）を供給するためのリセットデータＤｒｅｓｔ及びデータ線側制御クロック信号ＣＬＫＸをデータ線駆動回路３３に出力する。このリセットデータＤｒｅｓｔは、１フィールド（電気泳動粒子２１の応答速度が遅い場合はｎフィールドの期間を要する、但し画素へのアクセスは１回あれば、以降はなくてもよい）のリセット期間Ｔ１に渡って出力される。
【００５４】
走査線駆動回路３２は、走査線側制御クロック信号ＣＬＫＹに基づいて、走査信号ＳＣ１〜ＳＣｍを順次出力し各走査線Ｙ１〜Ｙｍを順番に選択する。一方、データ線駆動回路３３は、前記走査線駆動回路３２が各走査線Ｙ１〜Ｙｍの１つを選択する毎に、データ線側制御クロック信号ＣＬＫＸに基づいて、リセットデータＤｒｅｓｔに対応するデータ信号Ｄ１〜Ｄｎを各データ線Ｘ１〜Ｘｎにそれぞれ出力する。
【００５５】
これにより、全分散系２３の電気泳動粒子２１は画素電極１５側に引き寄せられた位置に保持されるため、表示パネル１１は黒色にリセットされる。表示パネル１１が黒色にリセットされると、制御回路３４は次の書込動作に移る。
【００５６】
［書込動作及び保持動作］
書込動作では、制御回路３４は、前記と同様、走査信号ＳＣ１〜ＳＣｍによって各走査線Ｙ１〜Ｙｍを順次選択するための走査線側制御クロック信号ＣＬＫＹを走査線駆動回路３２に出力する。また、制御回路３４は、走査信号ＳＣ１〜ＳＣｍに応答して順次選択された各走査線上の単位回路３１ａに書込電圧（前述した第１電圧、第２電圧、又は共通電圧Ｖｃｏｍ  ）を供給するための画像データＤ及びデータ線側制御クロック信号ＣＬＫＸをデータ線駆動回路３３に出力する。この画像データＤは、１フィールド（電気泳動粒子２１の応答速度が遅い場合はｎフィールドの期間を要する、但し画素へのアクセスは１回あれば、以降はなくてもよい）の書込期間Ｔ２に渡って出力される。
【００５７】
以下、図６を用いて書込動作・保持動作の詳細を説明する。尚、本実施形態の書込期間Ｔ２（１フレーム）はｎフィールドで構成される。すなわち、ｎフィールド期間の応答時間で、１つの画像が完成する場合を想定する。また、ここでは、ｉ行ｊ列の画素における書込動作を説明するが、他の画素においても同様の書き込みがなされる。
【００５８】
走査線駆動回路３２は、走査線側制御クロック信号ＣＬＫＹに基づいて、走査信号ＳＣ１〜ＳＣｍを順次出力し、各走査線Ｙ１〜Ｙｍを順番に選択する。これにより、ｉ番目の走査線Ｙｉは走査信号ＳＣｉによってアクティブになる。このとき、データ線駆動回路３３は、データ線側制御クロック信号ＣＬＫＸに基づいて、ｊ番目のデータ線Ｘｊに供給するデータ信号Ｄｊを出力する。
【００５９】
このデータ信号Ｄｊは、ｉ行ｊ列の画素に対応する単位回路３１ａの保持容量１７に保持され、その単位回路３１ａのアンプ１８は、同保持容量１７が保持しているデータ信号Ｄｊに基づく書込電圧としての所定の画素電圧Ｖｉｊを画素電極１５に供給する。
【００６０】
次に、ｉ行ｊ列の画素における電気泳動粒子２１の挙動について説明する。
書込動作の前には上述したリセット動作が行われているので、書込動作の開始時点で電気泳動粒子２１は画素電極１５側に引き寄せられている。従って、画素電極１５に画素電圧Ｖｉｊが印加されると、画素電極１５から共通電極２５へ向けて電界が付与され、電気泳動粒子２１は泳動を開始する。
【００６１】
このとき、ｉ行ｊ列の画素における反射明度Ｉｉｊはその画素における電気泳動粒子２１の平均的な移動量により決定される。本実施形態では電気泳動粒子２１は白色であり分散媒２２は黒色であるから、電気泳動粒子２１が共通電極２５に近づくほど反射明度Ｉｉｊは高くなる。この場合の反射明度Ｉｉｊを図７に示す。同図に示すように、反射明度Ｉｉｊは時刻ｔ１から次第に高くなる。
【００６２】
ここで、上記したように、画素電極１５に印加される画素電圧Ｖｉｊは、走査信号ＳＣｉが非アクティブになった後も、保持容量１７の保持電圧によって駆動されるアンプ１８から供給される。このため、フィールド１にて供給される画素電圧Ｖｉｊはそのフィールドの期間に渡ってほぼ一定に保たれ、同フィールド１の終了時において電気泳動粒子２１は、与えられた画素電圧Ｖｉｊに対応する位置まで共通電極２５に近づく。
【００６３】
そして、次のフィールド（ここではフィールド２）では、図６に示すように、前述したフィールド１で供給された電圧に対してそれと同じ電圧値を持つ電圧が引き続き印加される。この際、同図に２点鎖線で示すように、再び走査信号ＳＣ１〜ＳＣｍを出力して同じデータを保持容量１７へ書き込んでもよいが、保持容量１７のリーク電流による電圧低下が小さい場合は前記フィールド１で書き込まれた電圧が略一定に保持されるので不要である。この保持された画素電圧Ｖｉｊによる電界の影響を受けて、電気泳動粒子２１は共通電極２５にさらに近づく位置まで分散系２３を泳動する。
【００６４】
その後、フィールドｎの時刻ｔｎにおいて、電気泳動粒子２１は所定の位置まで泳動する。つまり、本実施形態では電気泳動粒子２１が共通電極２５側にはり付くことになる。この結果、反射明度Ｉｉｊは図７に示すように時刻ｔｎから一定の値になる。これにより、書込動作を終了する。
【００６５】
そして、書込動作が終了すると、制御回路３４は、次の新たな入力画像信号ＶＩＮが入力されるまで、直前の書込期間Ｔ２で形成された１つの画像を保持する保持期間Ｔ３に移行し表示画像を保持する。
【００６６】
従って、上記のような電気泳動表示装置では、以下の効果を奏する。
（１）本実施形態では、単位回路３１ａにおいて、ＴＦＴ１６のオン期間内に供給されるデータ信号Ｄｊは保持容量１７に保持される。この保持容量１７に保持されている電圧に基づいてアンプ１８が駆動され、このアンプ１８は、走査線Ｙｉが非アクティブとなりＴＦＴ１６がオフされた後もデータ信号Ｄｊに応じた略一定値の画素電圧Ｖｉｊを画素電極１５に供給する。これにより、画素電圧Ｖｉｊはｎフィールド（１フレーム）に渡ってほぼ一定に保たれ、電気泳動粒子２１の泳動に伴う画素電圧Ｖｉｊの低下は防止される。従って、書込動作時におけるデータ書き込み制御を極めて容易に行うことができ、表示パネル１１に表示される画像の表示品質を向上することができる。尚、本実施形態では、同様にして、リセット動作時におけるデータ書き込み制御をも容易に行うことを可能とする。
【００６７】
（２）本実施形態では、画素電極１５に印加した画素電圧Ｖｉｊをほぼ一定に保つことができるため、指定した所望の電圧でのデータ書き込みが容易となる。これにより、分散媒２２の比抵抗が低い場合においても、良好な表示状態を得ることができる。
【００６８】
（３）本実施形態では、画素電極１５に印加した画素電圧Ｖｉｊをほぼ一定に保つことができるため、リセット期間Ｔ１や書込期間Ｔ２の短縮化を図ることができる。
【００６９】
（４）各画素に対応して設けられる単位回路３１ａは、ＴＦＴ１６、保持容量１７及びアンプ１８のみで構成されているため、非常に簡易で安価な回路構成とすることができる。
【００７０】
（第二実施形態）
次に、第一実施形態で説明した電気泳動表示装置を搭載した電子機器の適用について図８及び図９に従って説明する。
【００７１】
図８は、モバイル型パーソナルコンピュータの一構成を示す斜視図である。同図において、パーソナルコンピュータ４１は、キーボード４２を備える本体部４３と、前記電気泳動表示装置を用いた表示ユニット４４を備えている。この場合でも、電気泳動表示装置を用いた表示ユニット４４は前記実施形態と同様な効果を発揮する。その結果、パーソナルコンピュータ４１は、高品質の画像を実現することができる。
【００７２】
図９は、携帯電話の一構成を示す斜視図を示す。同図において、携帯電話５１は、複数の操作ボタン５２、受話口５３、送話口５４、前記電気泳動表示装置を用いた表示ユニット５５を備えている。この場合でも、電気泳動表示装置を用いた表示ユニット５５は前記実施形態と同様な効果を発揮する。その結果、携帯電話５１は、高品質の画像を実現することができる。
【００７３】
尚、上記各実施形態は、以下の態様に変更して実施してもよい。
・上記各実施形態では、２値表示の電気泳動表示装置について説明した。これに加えて、階調表示可能な電気泳動表示装置に適用してもよい。即ち、上記各実施形態を適用すれば、画素電圧Ｖｉｊを保持して指定の電圧で書き込みを行うことが可能となるため、多階調の階調表示も容易に制御可能となる。
【００７４】
・上記各実施形態では、ｎフィールドで書込動作を完了する場合を想定して説明したが、１フィールド（＝１フレーム）で書込動作を完了させてもよい。
・上記各実施形態では、電気泳動表示装置は、白黒表示であったが、カラー表示に応用してもよい。この場合には、分散系として、赤色表示を行なう分散系、緑色表示を行なう分散系及び青色表示を行なう分散系の３種類を表示パネル１１に備えた表示装置となる。
【００７５】
・上記各実施形態では、１画像を表示する場合にリセット動作を行なったが、リセット動作しないで先に画像表示された各分散系２３の電気泳動粒子２１の位置から次の画像表示のための位置に電気泳動粒子２１を移動させるように制御するようにしてもよい。
【００７６】
・上記第二実施形態で説明した電気泳動表示装置を搭載した電子機器としては他にも、電子書籍、屋外の標識、カーナビゲーション装置、電子手帳、電卓、ＰＯＳ端末、タッチパネルを備えた機器等などが挙げられる。すなわち、電気泳動表示装置をこれらの機器に適用した場合でも、上記各実施形態と同様な効果を奏する。
【図面の簡単な説明】
【図１】第一実施形態の電気泳動表示パネルの構成を示す要部分解斜視図。
【図２】電気泳動表示パネルの要部断面図。
【図３】電気泳動表示装置の概略的な電気的構成を示す電気回路図。
【図４】単位回路を示す説明図。
【図５】制御回路の出力データを示すタイミングチャート。
【図６】書込動作・保持動作時のタイミングチャート。
【図７】画素電圧・反射明度の推移を示す説明図。
【図８】第二実施形態を説明するためのモバイル型パーソナルコンピュータの構成を示す概観斜視図。
【図９】第二実施形態を説明するための携帯電話の構成を示す概観斜視図。
【図１０】分散系を説明するための要部断面図。
【図１１】１画素に対応した等価回路を示す説明図。
【図１２】従来における画素電圧の推移を示す説明図。
【符号の説明】
１５…第１電極としての画素電極、１６…スイッチング素子としての薄膜トランジスタ（ＴＦＴ）、１７…信号保持手段としての保持容量、１８…印加電圧制御手段としてのアンプ、２１…電気泳動粒子、２３…分散系、２５…第２電極としての共通電極、３１ａ…単位回路、Ｙｉ，Ｙ１〜Ｙｍ…走査線、Ｘｊ，Ｘ１〜Ｘｎ…データ線、Ｄｊ，Ｄ１〜Ｄｎ…データ信号。
【図１】
2004157450.tif 000003
【図２】
2004157450.tif 000004
【図３】
2004157450.tif 000005
【図４】
2004157450.tif 000006
【図５】
2004157450.tif 000007
【図６】
2004157450.tif 000008
【図７】
2004157450.tif 000009
【図８】
2004157450.tif 000010
【図９】
2004157450.tif 000011
【図１０】
2004157450.tif 000012
【図１１】
2004157450.tif 000013
【図１２】
2004157450.tif 000014